(57)【要約】【課題】  トランキングシステムにおいて、管理局から各サイトのジョブを一斉に実行させるための命令伝達方式とその方法の提供を目的とする。【解決手段】  管理局４は、実行情報である実行命令と実行データと実行開始時刻データとを、実行開始時刻データが示す時刻より所定の時刻先立って複数のサイト１〜３へ送信し、複数のサイト１〜３は、標準時刻発信局６が送信する標準時刻データを受信しながら、実行情報を受信したことを示すアクノリッジを管理局４へ送信し、受信した標準時刻データが実行開始時刻データと一致すると、実行命令に従って実行データの処理を一斉に開始する。【選択図】      図１
2007036740.tif 000002
【特許請求の範囲】
【請求項１】
管理局と複数のサイトから成るトランキングシステムにおいて、前記複数のサイトのジョブを一斉に開始する命令伝達方式であって、
前記管理局は、実行命令と前記実行命令の内容を指定する実行データと前記実行命令を開始する実行開始時刻データとを、前記実行開始時刻データが示す時刻より所定の時刻先立って前記複数のサイトへ送信し、
前記複数のサイトは、標準時刻発信局が送信する標準時刻データを受信しながら、前記実行命令と前記実行データと前記実行開始時刻データとを受信したことを示すアクノリッジを前記管理局へ送信し、
受信した前記標準時刻データが前記実行開始時刻データと一致すると、前記実行命令に従って前記実行データの処理を一斉に開始することを特徴とする命令伝達方式。
【請求項２】
前記複数のサイトは、前記管理局からの前記実行命令と前記実行データと前記実行開始時刻データとを受信し、前記アクノリッジを前記管理局へ送信する命令受信応答部と、
現在の標準時刻データを受信する標準時刻受信部と、
前記実行命令と前記実行データと前記実行開始時刻データと前記標準時刻データとを格納するメモリ部と、
前記実行開始時刻データと前記標準時刻データとを比較する時刻比較部と、
比較時刻が一致すると、前記実行命令に従って前記実行データの処理を開始する命令実行部とを具備することを特徴とする請求項１に記載の命令伝達方式。
【請求項３】
前記実行命令と前記実行データとが、新規個人ユーザのＩＤの実行命令とデータであることを特徴とする請求項１及び２のいずれかに記載の命令伝達方式。
【請求項４】
前記実行命令と前記実行データとが、サービス内容の機能拡大又は機能縮小の実行命令とデータであることを特徴とする請求項１及び２のいずれかに記載の命令伝達方式。
【請求項５】
前記実行命令と前記実行データとが、制御チャネルの切り換えの実行命令とデータであることを特徴とする請求項１及び２のいずれかに記載の命令伝達方式。
【請求項６】
管理局と複数のサイトから成るトランキングシステムにおいて、前記複数のサイトのジョブを一斉に開始する命令伝達方法であって、
前記管理局が、実行命令と前記実行命令の内容を指定する実行データと前記実行命令を開始する実行開始時刻データとを、前記実行開始時刻データが示す時刻より所定の時刻先立って前記複数のサイトへ送信するステップと、
前記複数のサイトが、前記実行命令と前記実行データと前記実行開始時刻データとを受信したことを示すアクノリッジを前記管理局へ送信するステップと、
前記管理局が、前記アクノリッジを受信できなかったサイトに対して前記実行命令と前記実行データと前記実行開始時刻データとを再送するステップと、
前記管理局が、複数回の前記再送を行っても前記アクノリッジの受信ができなかった場合は、前記実行命令の取り消し命令を送信するステップと、
前記複数のサイトが、継続して受信している標準時刻データと前記実行開始時刻データとが一致すると、前記実行命令に従って前記実行データの処理を一斉に開始するステップとを有することを特徴とする命令伝達方法。
【発明の詳細な説明】
【技術分野】
【０００１】
本発明は、無線ネットワークシステムにおけるノードが実行するジョブの一斉実行に係り、詳しくは、トランキングシステムにおける各ノードのジョブの命令伝達方式とその方法に関する。
【背景技術】
【０００２】
ネットワークを構成している各ノード間で連携を取って、特定の命令を同時に実行させる場合、簡便な方法としては、イベントが発生するとセンターから一斉に命令が送られ、受け取ったノードは、即時にその命令を実行する方法が取られる。しかしこのような場合、送信する命令のデータサイズが大きいときは、ある時間、瞬間にトラフィックが増大するため、正常な通信の妨げになる場合があった。また、回線の状態により送信時間にバラツキが生じ、一斉動作に支障が生じる場合があった。さらに回線に異常が発生したり、通信エラーの発生などにより、命令を受信できないノードが生じた場合は、全体の動作に不整合を生じ、運用面での問題が発生する可能性があった。無線通信機の一斉呼び出しにおいて、通話中であっても一斉呼び出しがあると、一斉呼び出し通話状態にする無線通信機の呼び出し制御装置が、特許文献１に記載されている。
【特許文献１】特開２０００−３１５９７９号公報
【発明の開示】
【発明が解決しようとする課題】
【０００３】
本発明は、このような問題を解決するためになされたものであり、トランキングシステムの管理局は、所定の時刻先立って実行に必要な命令及びデータを複数のサイトへ送信し、複数のサイトは、標準時刻を受信しながら、実行開始時刻が標準時刻に一致すると、実行命令の実行を開始することを可能とする、複数のサイトの命令伝達方式及びその方法の提供を目的とする。
【課題を解決するための手段】
【０００４】
本発明の命令伝達方式は、管理局と複数のサイトから成るトランキングシステムにおいて、前記複数のサイトのジョブを一斉に開始する命令伝達方式であって、前記管理局は、実行命令と前記実行命令の内容を指定する実行データと前記実行命令を開始する実行開始時刻データとを、前記実行開始時刻データが示す時刻より所定の時刻先立って前記複数のサイトへ送信し、前記複数のサイトは、標準時刻発信局が送信する標準時刻データを受信しながら、前記実行命令と前記実行データと前記実行開始時刻データとを受信したことを示すアクノリッジを前記管理局へ送信し、受信した前記標準時刻データが前記実行開始時刻データと一致すると、前記実行命令に従って前記実行データの処理を一斉に開始することを特徴とする。
【０００５】
本発明の命令伝達方式の前記複数のサイトは、前記管理局からの前記実行命令と前記実行データと前記実行開始時刻データとを受信し、前記アクノリッジを前記管理局へ送信する命令受信応答部と、現在の標準時刻データを受信する標準時刻受信部と、前記実行命令と前記実行データと前記実行開始時刻データと前記標準時刻データとを格納するメモリ部と、前記実行開始時刻データと前記標準時刻データとを比較する時刻比較部と、比較時刻が一致すると、前記実行命令に従って前記実行データの処理を開始する命令実行部とを具備することを特徴とする。
【０００６】
本発明の命令伝達方式の前記実行命令と前記実行データとが、新規個人ユーザのＩＤの実行命令とデータであることを特徴とする。
【０００７】
本発明の命令伝達方式の前記実行命令と前記実行データとが、サービス内容の機能拡大又は機能縮小の実行命令とデータであることを特徴とする。
【０００８】
本発明の命令伝達方式の前記実行命令と前記実行データとが、制御チャネルの切り換えの実行命令とデータであることを特徴とする。
【０００９】
本発明の命令伝達方法は、管理局と複数のサイトから成るトランキングシステムにおいて、前記複数のサイトのジョブを一斉に開始する命令伝達方法であって、前記管理局が、実行命令と前記実行命令の内容を指定する実行データと前記実行命令を開始する実行開始時刻データとを、前記実行開始時刻データが示す時刻より所定の時刻先立って前記複数のサイトへ送信するステップと、前記複数のサイトが、前記実行命令と前記実行データと前記実行開始時刻データとを受信したことを示すアクノリッジを前記管理局へ送信するステップと、前記管理局が、前記アクノリッジを受信できなかったサイトに対して前記実行命令と前記実行データと前記実行開始時刻データとを再送するステップと、前記管理局が、複数回の前記再送を行っても前記アクノリッジの受信ができなかった場合は、前記実行命令の取り消し命令を送信するステップと、前記複数のサイトが、継続して受信している標準時刻データと前記実行開始時刻データとが一致すると、前記実行命令に従って前記実行データの処理を一斉に開始するステップとを有することを特徴とする。
【発明の効果】
【００１０】
本発明によれば、基地局は、事前に実行命令と必要なデータを各サイトへ送信するため瞬間的な通信トラフィックの増大を避けることができ、且つ命令を受信したサイトからのアクノリッジを確認できるため、ネットワークのきめ細かな管理が可能となる。またサイトは、標準時刻を基準に命令の実行を開始するため、各サイト間で確実に同時に命令を実行することが可能となる。
【発明を実施するための最良の形態】
【００１１】
本発明による命令伝達方式の実施の形態について、図を用いて説明する。図１は、本発明によるトランキングシステムにおける命令伝達方式のシステム構成図である。図１において、ベースステーションとルータとを有する管理局４は、インターネット等の公共通信網５を介して、リピータとルータとを有するサイト１〜３と接続されて、トランキングシステムを構成している。またサイト１〜３は、リピータに一斉実行処理装置（図示されず）が組み込まれており、一斉実行処理装置には、ＧＰＳ（グローバル・ポジショニング・システム）、ＮＴＰ（ネットワーク・タイム・プロトコル）等の標準時刻を送信する標準時刻発信局６の標準時刻を受信する手段を有している。管理局４も同様に標準時刻を受信する手段を有する。
【００１２】
管理局４は、実行命令と実行命令の内容を指定する実行データと実行命令を開始する実行開始時刻データとを、標準時刻に合わせた実行開始時刻データが示す時刻より所定の時刻先立って複数のサイト１〜３へ送信する。複数のサイト１〜３は、標準時刻発信局６が送信する標準時刻データを受信しながら、実行命令と実行データと実行開始時刻データとを受信したことを示すアクノリッジを管理局４へ送信する。引き続き、受信した標準時刻データが実行開始時刻データに一致すると、実行命令に従って実行データの処理を一斉に開始する。
【００１３】
図２は、本発明におけるジョブの一斉実行処理に要する情報の構成を示す実行情報フォーマットである。図２ａは、管理局４からサイト１〜３へ送信される実行情報フォーマットを示し、実行の種別を指定する実行命令とそれを実行するデータ及び実行命令を開始する実行開始時刻データから構成されている。図２ｂは、サイト１〜３が受信した実行情報にアクノリッジ情報ＡＣＫを付けて管理局４へ送信する、実行情報受信応答フォーマットである。図２ｃは、管理局４がサイト１〜３のいずれかに複数回の再送を行っても、アクノリッジを受け取ることができなかった場合、実行情報の取り消し情報ＤＥＬを付けて送信する実行情報取り消しフォーマットである。図２ｄは、サイト１〜３のいずれかのサイトが、受信した管理局４からの実行情報取り消しに応答してアクノリッジを送信する、実行情報取り消し受信応答フォーマットである。
【００１４】
図３は、サイト１〜３のリピータに組み込まれている一斉実行処理装置の構成を示す回路ブロック図である。図３において、一斉実行処理装置１００は、命令受信応答部１０と標準時刻受信部２０とメモリ部３０と時刻比較部４０と命令実行部５０とを有する。一斉実行処理装置１００の命令受信応答部１０は、図２ａのフォーマットの実行情報を管理局４から受信し、受信した実行命令と実行データと実行開始時刻データとをメモリ部３０へ格納し、図２ｂのフォーマットの実行情報受信応答を管理局４へ送信する。標準時刻受信部２０は、標準時刻発信局６からの標準時刻データを受信し、メモリ部３０へ格納する。この標準時刻データは、所定の時間間隔で常に実行されている。
【００１５】
時刻比較部４０は、メモリ部３０に格納された標準時刻データと実行開始時刻データとを読み出し、これらのデータが一致しているか否かを比較する。一致していれば、一致していることを示す一致信号を命令実行部５０へ送る。命令実行部５０は一致信号を受け取ると、メモリ部３０に格納されている実行命令と実行データとを読み出し、その実行命令に従って実行データの処理を開始する。一致していなければ、時刻比較部４０は、標準時刻データが実行される毎にデータを読み出し、一致するまでこの作業を繰り返す。
【００１６】
なお、管理局４がサイト１〜３のいずれかに、複数回実行情報の再送を行ってもアクノリッジを受け取ることができなかった場合、図２ｃのフォーマットの実行情報の取り消しを送信する。これを受信したサイト１〜３のいずれかのサイトは、図２ｄのフォーマットの実行情報取り消し受信応答を管理局４へ送信する。この状況は、アクノリッジを送信できなかったサイトに、何らかのトラブルが発生している可能性があるため、管理局４は、トラブルの解消を実行する。
【００１７】
図３に示されるブロック図の回路構成は、当該機能を実現する手段であれば、どのような回路又は装置であっても良く、また機能の一部をソフトウエアで実現することも可能である。さらに機能実現手段を、複数の回路によって実現しても良く、複数の機能を単一の回路で実現しても良い。
【００１８】
図４は、本発明による命令伝達方法の処理の流れを示すフローチャートである。管理局４は、実行情報である実行命令と実行データと実行開始時刻データとセットし、実行開始時刻データが示す時刻より所定の時刻先立って複数のサイト１〜３へ送信する（ステップ１００〜ステップ１２０）。複数のサイト１〜３は、実行情報を受信したことを示すアクノリッジを管理局４へ送信し、基地局４はこれを確認する（ステップ１３０）。複数のサイト１〜３は、アクノリッジを送信すると、受信した実行情報をメモリ部３０へ格納する（ステップ１４０）。また複数のサイト１〜３は、所定の時間毎に標準時刻を受信しメモリ部３０に格納された時刻を実行する（ステップ１５０）。さらに複数のサイト１〜３は、これらの時間データを読み出し、一致しているか否かを判断し、一致していれば実行情報の実行を一斉に開始して終了する（ステップ１６０、１７０、ステップ２２０）。一致していなければ、標準時刻データが実行される毎にデータを読み出し、一致するまでこの作業を繰り返す（ステップ１５０、ステップ１６０）。
【００１９】
管理局４が、アクノリッジを受信できなかったサイトに対して実行情報を再送し、再度アクノリッジの受信を確認する（ステップ１８０、ステップ１９０）。アクノリッジが確認できるとステップ１４０へ戻る。アクノリッジが確認できなければ、所定回数だけ再送したか否かを確認し、所定回数再送していれば、実行情報の取り消しをそのサイトへ送信して終了する（ステップ２００、ステップ２２０）。所定回数再送していなければステップ１８０へ戻りこの作業を繰り返す。
【００２０】
以上説明したように、本発明によると、基地局は、事前に実行命令と必要なデータを各サイトへ送信するため瞬間的な通信トラフィックの増大を避けることができ、且つ命令を受信したサイトからのアクノリッジを確認できるため、ネットワークのきめ細かな管理が可能となる。またサイトは、標準時刻を基準に命令の実行を開始するため、各サイト間で確実に同時に命令を実行することが可能となる。
【図面の簡単な説明】
【００２１】
【図１】本発明のトランキングシステムによる命令伝達方式のシステム構成図。
【図２】本発明によるジョブの実行処理に要する情報の構成を示す実行情報フォーマット。
【図３】本発明のサイトの一斉実行処理装置の構成を示す回路ブロック図。
【図４】本発明による命令伝達方法の処理の流れを示すフローチャート。
【符号の説明】
【００２２】
１〜３  サイト
４  管理局
５  公衆通信網
６  標準時刻発信局
１０  命令受信応答部
２０  標準時刻受信部
３０  メモリ部
４０  時刻比較部
５０  命令実行部
１００  一斉実行処理装置
ＧＰＳ  グローバル・ポジショニング・システム
ＮＴＰ  ネットワーク・タイム・プロトコル
【図１】
2007036740.tif 000003
【図２】
2007036740.tif 000004
【図３】
2007036740.tif 000005
【図４】
2007036740.tif 000006